(57)【特許請求の範囲】
【請求項１】
母乳搾乳器で吸引した母乳を母乳保存袋に注入するため、上端開口を母乳搾乳器に接続し、下端開口を母乳保存袋の上端部に形成された受け口から内部に挿し込んで使用される母乳搾乳器用補助筒であって、
中間部の外周面に、挟み口を前記下端開口側に向けた左右一対のクリップを設け、
下端開口を母乳保存袋の受け口から内部に挿し込んだときクリップで受け口を挟持するようにし、
中間部の外周面に母乳搾乳量を示す目盛を形成し、
前記下端開口を着脱可能に覆蓋する軟質プラスチック製のキャップを備え、
キャップの左右両側面を内側へ押圧したとき開いてキャップの内外を連通する隙間が形成されるようにスリットをキャップの底面に形成したことを特徴とする母乳搾乳器用補助筒。
【請求項２】
下端開口に装着したキャップの少なくとも左右両側面を覆うように、筒本体の外周部から垂下する左右一対のガイド片を設けたことを特徴とする請求項１記載の母乳搾乳器用補助筒。
【発明の詳細な説明】
【技術分野】
【０００１】
本発明は、母乳搾乳器で吸引した母乳を母乳保存袋に注入するため、上端開口を母乳搾乳器に接続し、下端開口を母乳保存袋に挿し込んで使用される母乳搾乳器用補助筒に関する。
【背景技術】
【０００２】
この種の母乳搾乳器用補助筒の一形式として、特開２００５−２３７７１７号公報及び特開２０１３−７０７４２号公報には、上端開口と下端開口の外周部に、それぞれ上側ねじ山と下側ねじ山を形成した補助筒と、この補助筒が挿し込まれる母乳保存袋が開示されている。
【０００３】
この補助筒の下端部はその外径が中間部の外径より小さく、母乳保存袋に挿し込まれる差込部を形成している。そして、差込部の外周に形成された下側ねじ山は横断面形状が矩形に形成されている。
一方、母乳保存袋２０は図６に示すように、２枚の透明プラスチックフィルムの周縁部をヒートシールして上端部に受け口２０ａを形成し、内部に母乳貯留部２０ｂと、受け口２０ａと母乳貯留部２０ｂを連通する注入口２０ｃを形成して構成されている。この注入口２０ｃの幅寸法は受け口２０ａの幅寸法や母乳貯留部２０ｂの幅寸法より小さく、丸く膨らませたとき補助筒の差込部の外径寸法と略同寸となるように形成されている。受け口２０ａの表面には硬質プラスチックの帯片２１が貼着され、裏面には摘み紙２２が貼着されている。注入口２０ｃの表面には保護紙で覆われた粘着テープ２３が貼着されている。母乳貯留部２０ｂの表面には母乳の貯留量を示す目盛２０ｄが表示されている。
【０００４】
上記した従来の補助筒の使用方法は以下の通りである。帯片２１の両端を指で押しながら摘み紙を２２引っ張って母乳保存袋２０の受け口２０ａを開き、補助筒の差込部を受け口２０ａから注入口２０ｃへ挿し込んでねじ回すと、補助筒の隣接する下側ねじ山の間の溝部分に注入口２０ｃの内周面が巻き込まれるので、補助筒に母乳保存袋２０が装着される。母乳保存袋２０を装着した補助筒の上側ねじ山を母乳搾乳器の母乳排出口にねじ込んで、補助筒を母乳搾乳器に接続し、母乳搾乳器で搾乳した母乳を、補助筒を通して母乳保存袋２０に注入する。帯片２１を内側に巻くようにして折り畳み、折り畳み部分を粘着テープ２３で接着して受け口２０ａを閉じる。
【先行技術文献】
【特許文献】
【０００５】
【特許文献１】特開２００５−２３７７１７号公報
【特許文献２】特開２０１３−７０７４２号公報
【発明の概要】
【発明が解決しようとする課題】
【０００６】
従来の母乳搾乳器用補助筒では、母乳保存袋２０の注入口２０ｃの丸く膨らませたときの寸法が補助筒の差込部の外径寸法に比べて小さすぎると、補助筒の差込部を母乳保存袋２０の注入口２０ｃに挿し込むことができず、母乳保存袋２０を補助筒に装着できない。
一方、母乳保存袋２０の注入口２０ｃの丸く膨らませたときの寸法が補助筒の差込部の外径寸法より大き過ぎると、差込部を注入口２０ｃに挿し込んでねじ回しても注入口２０ｃの内周面を補助筒の隣接する下側ねじ山の間に巻き込むことができず、できたとしても、強固に巻き込むことができない。そのため、補助筒に母乳保存袋２０を装着できず、また装着できても、母乳搾乳器で搾乳中に母乳貯留部２０ｂに蓄えられた母乳の重みで母乳保存袋２０が補助筒から外れて母乳を溢してしまうおそれがある。
【０００７】
また、母乳保存袋２０には母乳貯留量を示す目盛２０ｄが表示されているが、母乳を搾乳する際、その都度保存袋の母乳貯留部２０ｂの膨らみ具合が微妙に違ってくるため、目盛を参照しても正確に母乳の貯留量を測ることができない。
【０００８】
本発明はかかる問題点に鑑み、母乳保存袋の形状、構造、寸法の違いに関わらず、確実に母乳保存袋を装着できる母乳搾乳器用補助筒を提供することを第１の目的とする。また、母乳の搾乳量を正確に測って、母乳保存袋に保存できる母乳搾乳器用補助筒を提供することを第２の目的とする。
【課題を解決するための手段】
【０００９】
請求項１に記載の発明は、母乳搾乳器で吸引した母乳を母乳保存袋に注入するため、上端開口を母乳搾乳器に接続し、下端開口を母乳保存袋の上端部に形成された受け口から内部に挿し込んで使用される母乳搾乳器用補助筒であって、
中間部の外周面に、挟み口を前記下端開口側に向けた左右一対のクリップを設け、
下端開口を母乳保存袋の受け口から内部に挿し込んだときクリップで受け口を挟持するようにし、
中間部の外周面に母乳搾乳量を示す目盛を形成し、
前記下端開口を着脱可能に覆蓋する軟質プラスチック製のキャップを備え、
キャップの左右両側面を内側へ押圧したとき開いてキャップの内外を連通する隙間が形成されるようにスリットをキャップの底面に形成したことを特徴とする。
【００１０】
請求項２に記載の発明は、請求項１に記載の母乳搾乳器用補助筒において、下端開口に装着したキャップの少なくとも左右両側面を覆うように、筒本体の外周部から垂下する左右一対のガイド片を設けたことを特徴とする。
【発明の効果】
【００１１】
請求項１に記載の発明によれば、クリップで母乳保存袋の受け口の上端部を挟持することによって母乳保存袋を母乳搾乳器用補助筒に装着するので、母乳保存袋の形状、構造や寸法の違いに拘わらず、補助筒に母乳保存袋を確実に装着できる。
【００１２】
また、下端開口をキャップで覆蓋した補助筒に母乳保存袋を装着して搾乳することにより、補助筒の目盛を参照して母乳搾乳器による母乳の搾乳量を正確に知ることができる。そして、保存袋の外側からキャップを指で摘んで内側へ押圧すれば、スリットが開いて補助筒から母乳が母乳保存袋中に注入されるので、補助筒のメモリで正確に搾乳量を測定できるととともに搾乳した母乳を衛生的に母乳保存袋に充填できる。
【００１３】
請求項２に記載の発明によれば、下端開口に装着した軟質プラスチック製のキャップの左右両側面をガイド片で覆うことができるので、補助筒の下端開口をプラスチックフィルム製の保存袋に挿し込むとき、キャップの左右両側面が保存袋に接触してキャップが滑り込み難くなるのを防止できる。
【図面の簡単な説明】
【００１４】
【図１】本発明の実施例に係る母乳搾乳器用補助筒を示す正面図である。
【図２】同母乳搾乳器用補助筒を示す側面図である。
【図３】同母乳搾乳器用補助筒を示す縦断断面図である。
【図４】同母乳搾乳器用補助筒の下端部を示す部分断面図である。
【図５】同母乳搾乳器用補助筒の使用方法を示す説明図である。
【図６】母乳保存袋を示す正面図である。
【実施例】
【００１５】
以下に本発明を説明する。図１から図３には本発明の一実施例に係る母乳搾乳器用補助筒１０が示されている。当該補助筒１０の本体１０ａは透明な硬質プラスチック製で上下両端にそれぞれ開口１０ｂ，１０ｃを有し、下端開口１０ｃが軟質プラスチック製のキャップ１１で覆蓋されている。筒本体１０ａの上端部１０ｄの外周面に上側ねじ山１０ｅと、上側ねじ山１０ｅの直下にフランジ１０ｆが形成されている。下端部１０ｇの外径は上端部１０ｄの外径より小さく成形され、差込部１０ｇを形成している。
【００１６】
筒本体１０ａの中間部１０ｈの外周面には母乳の搾乳量を示す目盛１０ｉが形成されている。また、中間部１０ｈの外周面には左右一対のクリップ１２が一体成形されている。各クリップ１２は筒本体１０ａの中間部１０ｈの外周面から左右方向に突出する左右一対の軸部１２ａと各軸部１２ａに薄肉部１２ｂを介して連結された前後一対のクリップ片１２ｃから構成されている。各クリップ片１２ｃはその中間部が薄肉部１２ｂによって軸部１２ａに連結され、筒本体１０ａの軸心に沿って垂下している。各クリップ片１２ｃの下端部には爪部１２ｄが形成されている。これら対を成すクリップ片１２ｃの爪部１２ｄによって筒本体１０ａの下端開口側に向けられた挟み口１２ｄが形成されている。この挟み口１２ｄは通常、薄肉部１２ｂの可撓性により閉じている。閉じている挟み口１２ｄはクリップ片１２ｃの上端部を２本の指で摘むことにより開くことができる。筒本体１０ａの下端部１０ｇには下端開口１０ｃに装着したキャップ１１の左右両側面を覆うように、筒本体１０ａの外周部から垂下する左右一対のガイド片１０ｊが設けられている。このガイド片１０ｊは筒本体１０ａの差込部１０ｇの上端部近辺から下端開口１０ｃの端面の下方まで延びている。
【００１７】
軟質プラスチック製のキャップ１１は図３及び図４に示すように、筒本体１０ａの下端部１０ｇに着脱可能に装着され、筒本体１０ａの下端開口１０ｃを覆蓋している。このキャップ１１は円筒部１１ａと断面形状がＶ字形の逆止弁部１１ｂを備えている。この逆止弁部１１ｂの底面には逆止弁部１１ｂの左右両側面を内側へ押圧したとき開いてキャップ１１の内外を連通する隙間が形成されるように一本のスリット１１ｃが形成されている。キャップ１１は円筒部１１ａを筒本体１０ａの下端部１０ｇに嵌合し、軟質プラスチックの弾力で装着されている。
【００１８】
本実施例に係る母乳搾乳器用補助筒１０の構造は以上の通りであって、以下にその使用方法を説明する。図５に示すように、母乳保存袋２０の受け口２０ａを開いて、キャップ１１を装着した筒本体１０ａの差込部１０ｇを母乳保存袋２０に挿入する。一方のクリップ１２の両クリップ片１２ｃを指で摘んで、挟み口１２ｄを開き、両クリップ片１２ｃで受け口２０ａの端部を挟持する。同様に、他方のクリップ１２で受け口２０ａの端部を挟持し、筒本体１０ａに母乳保存袋２０を装着する。ついで、筒本体１０ａの上側ねじ山１０ｅを母乳搾乳器３０の母乳排出口３０ａにねじ付けて、補助筒１０を母乳搾乳器３０に装着する。
【００１９】
この母乳搾乳器３０は、搾乳カップ３０ｂと、ダイヤフラムを内蔵する負圧発生室３０ｃ及びハンドル３０ｄを備えている。搾乳カップ３０ｂを乳房に被せ、ハンドル３０ｄを手で掴んで往復作動させると、ダイヤフラムが変形し、負圧発生室３０ｃの内部に負圧が発生する。この負圧が搾乳カップ３０ｂを通して乳房に作用すると、母乳が吸引され母乳排出口３０ａから滴下し、補助筒１０に充填される。
【００２０】
母乳の搾乳量を補助筒１０の目盛で確認し、所望の充填量に達したら、母乳搾乳器３０の操作を停止し、母乳保存袋１０の外側から指でキャップ１１の逆止弁部１１ｂの左右両側面を押してスリット１１ｃを開く。これにより筒本体１０ａに充填されている母乳が保存袋２０に流入するので、クリップ１２を開いて補助筒１０を母乳保存袋２０から取り外し、母乳保存袋２０を折り畳んで粘着テープ２３で受け口を閉じる。
【００２１】
以上、説明したように本実施例に係る母乳搾乳器用補助筒１０によれば、クリップ１２で母乳保存袋２０の受け口２０ａの上端部を挟持することによって母乳保存袋２０を補助筒１０に装着できるので、母乳保存袋２０の形状、構造や寸法の違いに拘わらず、補助筒１０に母乳保存袋２０を確実に装着できる。
【００２２】
また、下端開口１０ｃをキャップ１１で覆蓋した補助筒１０に母乳保存袋２０を装着して搾乳することにより、補助筒１０の目盛１０ｉを参照して母乳搾乳器３０による母乳の搾乳量を正確に知ることができる。そして、保存袋２０の外側からキャップ１１を指で摘んで内側へ押圧すれば、キャップ１１のスリット１１ｃが開いて補助筒１０から母乳が母乳保存袋２０中に注入されるので、補助筒１０の目盛１０ｉで正確に搾乳量を測定して、母乳を母乳保存袋２０に保存できる。
【００２３】
さらにまた、補助筒１０の下端開口１０ｃに装着した軟質プラスチック製のキャップ１１の左右両側面をガイド片１０ｊで覆うことができるので、筒本体１０ａの下端開口１０ｃをプラスチックフィルム製の保存袋２０の受け口２０ａに挿し込むとき、キャップ１１の左右両側面が保存袋２０に接触してキャップ１１が滑り込み難くなるのを防止できる。
【符号の説明】
【００２４】
１０…母乳搾乳器用補助筒
１０ａ…筒本体
１０ｂ…上端開口
１０ｃ…下端開口
１０ｄ…筒本体の上端部
１０ｅ…上側ねじ山
１０ｆ…フランジ
１０ｇ…筒本体の下端部（差込部）
１０ｉ…目盛
１０ｊ…ガイド片
１１…キャップ
１１ａ…円筒部
１１ｂ…逆止弁部
１１ｃ…スリット
１２…クリップ
１２ａ…軸部
１２ｂ…薄肉部
１２ｃ…クリップ片
１２ｄ…挟み口（爪部）
２０…母乳保存袋
２０ａ…受け口
３０…搾乳器
３０ａ…母乳排出口
【図１】
0005916698.tif 000002
【図２】
0005916698.tif 000003
【図３】
0005916698.tif 000004
【図４】
0005916698.tif 000005
【図５】
0005916698.tif 000006
【図６】
0005916698.tif 000007